(57)【特許請求の範囲】
【請求項１】
内容液を収納する容器体の口筒部に密に組付いて、等間隔に列設した複数の櫛歯片から、前記内容液を吐出可能とした櫛付きキャップであって、前記櫛歯片を、その上部に、前記内容液を櫛歯片間に吐出する吐出口を開設すると共に、上部を先細にして梳き方向に幅広であり、梳き方向に波打つ波板状に構成し、該各櫛歯片を、その相対向した櫛歯面の山部を相手側の谷部に対向させ、その櫛歯面の谷部を相手側の山部に対向させて平行にして列設し、前記隣り合った櫛歯片の相対向した櫛歯面の間隔を、該櫛歯面の山部の頂部が、梳き方向から見て、ほとんど重なる程度とした櫛付きキャップ。
【請求項２】
容器体の口筒部に密に組付く組付き筒の上端から、内鍔状の頂壁を介して、上端を頂板で塞いだ起立筒を設け、前記頂板に、梳き方向に直交する左右方向に沿って複数の櫛歯片を起立姿勢で列設し、該櫛歯片に、上部に形成した吐出口に連通すると共に、前記頂板の下面に開口する吐出路を形成した請求項１に記載の櫛付きキャップ。
【請求項３】
櫛歯面の波打ちを、一つの山部と一つの谷部の組合せとした請求項１または２記載の櫛付きキャップ。
【発明の詳細な説明】
【技術分野】
【０００１】
本発明は、容器体に収納された白髪染め液、ヘアマニキュア、ヘアカラーさらには整髪料等の内容液を、容器体から頭髪に直接塗布すべく構成した櫛付きキャップに関するものである。
【背景技術】
【０００２】
スクイズ性を有する容器体やエアゾール式の容器体にキャップとして組付けられ、容器体の白髪染め液やヘアマニキュア等の内容液を、直接頭髪に塗布することができるようにした櫛付きキャップが知られているが、この種の櫛付きキャップは、列設された複数の櫛歯片に、容器体に収納された内容液を、櫛歯片間に吐出する吐出口を開設した構成となっていて、適量の内容液を櫛歯片間に吐出した状態で、櫛付きキャップで頭髪を梳くことにより、そのまま内容液を頭髪に塗布するものとなっている。
【０００３】
この櫛付きキャップにあっては、容器体の内容液を直接頭髪に塗布することができるので、頭髪に対する内容液の簡単で素早い塗布を得ることができると云う利点がある反面、櫛歯片間に吐出された内容液が、そのままの状態で頭髪に塗布されるので、内容液の頭髪に対する塗布状態が斑となり易く、また櫛歯片間に吐出されて塊状となった内容液が、そのまま櫛歯片間から垂れ落ちする場合がある、と云う不都合があった。
【０００４】
この不都合を解消する従来技術として、隣接する他の櫛歯片に対向する櫛歯面に、二条の凹溝を縦方向に形成し、この凹溝内に吐出された内容液を位置させると共に、過剰な内容液を貯留するように、構成したものがある。
【特許文献１】特開２００３−２５９９１１号公報
【０００５】
上記従来技術にあっては、櫛歯片間に吐出した内容液の少なくとも一部を、凹溝内に位置させることにより、吐出された内容液の櫛歯片に対する接触面積を大きくし、これにより内容液の不正な垂れ落ちの発生を、効果的に防止する、と云う利点がある。
【発明の開示】
【発明が解決しようとする課題】
【０００６】
しかしながら、上記した従来技術にあっては、凹溝は内容液を貯留する作用を発揮するものであるので、吐出された内容液の一部が、この凹溝内に残留する可能性が高く、このため内容液の無駄が発生し易いと共に、凹溝内に残留した内容液の乾燥固化により、梳き作用が不良となったり、汚れの発生が激しくなる、と云う問題があった。
【０００７】
また、隣り合った櫛歯片に形成された凹溝は、互いに対向した位置関係にあるので、単に隣り合った櫛歯片間隔を、部分的に拡げるだけであり、このため梳き動作により櫛歯片間を通過する頭髪に対して、梳き方向に直交する方向への力を作用させることがほとんどない。それゆえ、頭髪に対して、従来と同じ程度の梳き力しか作用させることができず、このためを頭髪に付着させた内容液を、頭髪全体に塗り拡げる作用が充分ではない、と云う問題があった。
【０００８】
そこで、本発明は、上記した従来技術における問題点を解消すべく創案されたもので、頭髪の梳き動作時に、頭髪に対して、梳き方向に直交する方向への充分な押圧力を作用させることができるようにすることを技術的課題とし、もって頭髪に付着させた内容液の、広い範囲への均等な塗布を達成することを目的とする。
【課題を解決するための手段】
【０００９】
本発明の櫛付きキャップは、白髪染め液、ヘアマニキュア、ヘアカラーさらには整髪料等の内容液を収納する容器体の口筒部に密に組付いて、等間隔に列設した複数の櫛歯片から、内容液を吐出可能としたものである。
【００１０】
櫛歯片は、その上部に、容器体内の内容液を櫛歯片間に吐出する吐出口を開設すると共に、上部を先細にして梳き方向に幅広となっている。かつ、この櫛歯片は、梳き方向に波打つ波板状に構成されている。
【００１１】
隣合って対向した各櫛歯片は、その対向した櫛歯面の山部を相手側の谷部に対向させ、その櫛歯面の谷部を相手側の山部に対向させて、相互に略平行となるように列設し、隣り合った櫛歯片の相対向した櫛歯面の間隔を，この櫛歯面の山部の頂部が、梳き方向から見て、ほとんど重なる程度とされている。
【００１２】
各櫛歯片の櫛歯面は、平坦面ではなく波打ち面となっているので、当然のこととして、平坦な面である場合に比べて、単位幅範囲における面積が大きくなり、その分、櫛歯片間に吐出された内容液の付着面積が大きくなる。
【００１３】
このため、櫛歯片間に吐出された内容液の、櫛歯片に対する付着力が大きくなり、妄りな流動変位が起き難くなるので、吐出した内容液の垂れ落ちとか、櫛歯片の根元部への垂れ下がりと云う、不良状態が起こり難くなる。
【００１４】
また、各櫛歯片の櫛歯面は、梳き方向に波打つ面となっており、かつ対向した櫛歯面は平行となっているので、頭髪は凹凸に従って、梳き方向に直交する横方向に、強制的に押圧変位させられながら梳かれることになり、このため頭髪には充分な梳き力が作用することになる。さらに、隣り合った櫛歯片の相対向した櫛歯面の間隔を、この櫛歯面の山部の頂部が、梳き方向から見て、ほとんど重なる程度となっているので、櫛歯片間を通過する頭髪が、確実に蛇行変位しながら移動することになる。
【００１５】
本発明の別の構成は、容器体の口筒部に密に組付く組付き筒の上端から、内鍔状の頂壁を介して、上端を頂板で塞いだ起立筒を設け、頂板に、梳き方向に直交する左右方向に沿って複数の櫛歯片を起立姿勢で列設し、この櫛歯片に、上部に形成した吐出口に連通すると共に、頂板の下面に開口する吐出路を形成した、ことにある。
【００１６】
複数の櫛歯片を、頂板上に起立姿勢で設けたもの、すなわち縦型櫛歯片付きキャップとしたものにあっては、各櫛歯片が起立姿勢もしくは垂下姿勢となる内容液吐出時もしくは塗布使用時であっても、櫛歯片間に吐出された内容液は、各櫛歯片間に不動に保持された状態が維持される。
【００１７】
また、本発明の別の構成は、櫛歯面の波打ちを、一つの山部と一つの谷部の組合せとした、ことにある。
【００１８】
櫛歯面の波打ちを、一つの山部と一つの谷部の組合せとしたものにあっては、一つの櫛歯面に凹部と凸部との組合せを形成することができると共に、この凹凸をなだらかで大きなものとすることができる。
【発明の効果】
【００２１】
本発明は、上記した構成となっているので、以下に示す効果を奏する。
本発明にあっては、櫛歯片間に吐出された内容液の垂れ落ちとか、櫛歯片の根元部への垂れ下がりと云う、不良状態が起こり難くなるので、内容液により手元とか周囲を汚すことなく、これにより頭髪に対する内容液の塗布を、好ましい状態のまま、簡単に行うことができる。
【００２２】
また、頭髪を、充分な梳き力を作用させながら梳くことができるので、頭髪に付着させた内容液を、広い範囲に均等に塗布することができ、これにより内容液の良好な塗布動作を得ることができる。さらに、隣り合った櫛歯片の相対向した櫛歯面の間隔を、該櫛歯面の山部の頂部が、梳き方向から見て、ほとんど重なる程度としたので、櫛歯片間を通過する頭髪が、確実に蛇行変位しながら移動することになり、梳かれる頭髪に対する内容液の塗布を、より万遍なく達成することができる。
【００２３】
複数の櫛歯片を、頂板上に起立姿勢で設けたものにあっては、櫛歯片間に吐出された内容液を不動に保持する状態が維持されるので、内容液を櫛歯片間に吐出した状態での安定した取扱いを得ることができ、これにより頭髪に対する内容液の塗布動作を、安心して行うことができる。
【００２４】
櫛歯面の波打ちを、一つの山部と一つの谷部の組合せとしたものにあっては、凹凸をなだらかで大きなものとすることができるので、頭髪に対して凹凸が大きな抵抗を与えることがなく、これにより円滑な梳き動作を、無理なく得ることができる。
【発明を実施するための最良の形態】
【００２６】
以下、本発明の一実施形態を、図面を参照しながら説明する。
【００２７】
本発明の櫛付きキャップ１は、スクイズ性を有する胴部１３を持つ容器体１２やエアゾール式の容器体の口筒部１４に密に組付けられるもので、容器体１２の口筒部１４に、螺合して密に組付く組付き筒２の上端に、内鍔状の頂壁３を介して、上端を頂板６で塞いで内部を中空部５とした起立筒４を設け、頂板６の上面に、梳き方向に直交する左右方向に沿って、複数の櫛歯片７を起立姿勢で列設し、この櫛歯片７に、上部に左右方向に開口して形成した吐出口１０に連通すると共に、頂板６の下面に開口する、すなわち中空部５に開放する吐出路９を形成して構成されている。
【００２８】
櫛歯片７は、上部を先細にして梳き方向に幅広となっており、かつ梳き方向に波打つ波板状となっており、隣合った各櫛歯片７は、その向き合った櫛歯面８を平行に対向させている。
【００２９】
すなわち、隣合った櫛歯片７は、その櫛歯面８の山部８ａを相手側の谷部に対向させ、その櫛歯面８の谷部を相手側の山部８ａに対向させている。
【００３０】
そして、隣合った櫛歯片７の間隔は、梳き方向から見て、対向した櫛歯面８の山部８ａの頂部が、ほとんど重なる程度に設定されており、これにより隣合った櫛歯片７の間に形成される頭髪梳き通路は、ほとんど直線部分のない、蛇行した通路となる。
【００３１】
対向した櫛歯面８間に吐出された内容液Ｎは、図５に示すように、両櫛歯片７間に挟まれた状態で、平行した凹凸面である櫛歯面８に付着して位置することになるので、両櫛歯片７に対して、幅の割には大きな面積で付着することになり、これにより吐出された内容液Ｎの、重力による垂れ落ちおよび垂れ下がりの発生を、確実に防止する。
【００３２】
また、両櫛歯片７間を梳き移動する頭髪は、櫛歯面８の山部８ａにより、梳き方向に直交する横方向に強制的に押し込まれるので、この部分で効果的に梳かれることになり、付着した内容液Ｎは確実に押し広げられることになる。
【００３３】
なお、列設された櫛歯片７の両側に、櫛歯片７と同じ構造で設けられた枠櫛歯片１１は、櫛歯片７を機械的に保護すると共に、側端に位置した櫛歯片７から吐出された内容液Ｎを保持するように作用する。
【００３４】
図示実施例の場合、各枠櫛歯片１１の上部に透孔が開設されているが、これは合成樹脂製櫛付きキャップ１全体を、射出成形により一体成形する際に、吐出口１０を、一本の型ピンで成形するためのものである。
【００３５】
また、吐出口１０は、上記した実施例に限定されず、櫛歯面８に開口していれば良く、例えば、吐出口１０から上の櫛歯面８に、型抜きのための凹部が形成されるものでも構わないことは、云うまでもない。
【図面の簡単な説明】
【００３６】
【図１】本発明の一実施形態例を容器体に組付けた、全体正面図である。
【図２】図１の実施形態例の、半縦断拡大正面図である。
【図３】図１の実施形態例の、拡大側面図である。
【図４】図１の実施形態例の、拡大平面図である。
【図５】図１の実施形態例の、櫛歯片列の拡大平面図である。
【符号の説明】
【００３７】
１  ；  櫛付きキャップ
２  ；  組付き筒
３  ；  頂壁
４  ；  起立筒
５  ；  中空部
６  ；  頂板
７  ；  櫛歯片
８  ；  櫛歯面
８ａ；  山部
９  ；  吐出路
１０；  吐出口
１１；  枠櫛歯片
１２；  容器体
１３；  胴部
１４；  口筒部
Ｎ  ；  内容液
【図１】
0005190732.tif 000002
【図２】
0005190732.tif 000003
【図３】
0005190732.tif 000004
【図４】
0005190732.tif 000005
【図５】
0005190732.tif 000006